(57)【要約】【課題】  カラーサンドの使用量を削減することが可能で、かつ、鑑賞の対象となる植物（鉢植え等）の大きさに対応させることが可能な植物鑑賞用容器を提供する。【解決手段】  植物鑑賞用容器１は、透明な素材からなる外側容器２と、外側容器２内に配置される内側容器３と、を備える。外側容器２は、一定の大きさを有する。内側容器３は、第１内側容器３ａと、第１内側容器３ａ内に配置される第２内側容器３ｂと、第１内側容器３ａと第２内側容器３ｂの間の隙間を埋める隙間埋め部材３ｃと、を含む。第１内側容器３ａは、一定の大きさを有し、第２内側容器３ｂとしては、鉢植えの大きさに応じた種々の大きさのものが用いられる。隙間埋め部材３ｃは、第２内側容器３ｂの外周面に巻付け固定され、巻付け回数を変えることにより、巻付け厚みを適宜変更することができる。外側容器２と第１内側容器３ａとで形成される空間Ｓにカラーサンドが充填される。【選択図】  図１
0003215667.tif 000002
【実用新案登録請求の範囲】
【請求項１】
透明な素材からなる外側容器と、前記外側容器内に配置される内側容器と、を備え、
前記内側容器は、第１内側容器と、前記第１内側容器内に配置される第２内側容器と、前記第１内側容器と前記第２内側容器の間の隙間を埋める隙間埋め部材と、を含み、
前記外側容器と前記第１内側容器とで形成される空間に装飾部材が充填されることを特徴とする植物鑑賞用容器。
【請求項２】
前記第２内側容器は、前記第１内側容器内に配置されたときに、その上面の高さが前記第１内側容器の上面の高さよりも高くなるように構成されている、請求項１に記載の植物鑑賞用容器。
【請求項３】
前記第１内側容器の外側面に貼り付けられ、前記空間に前記装飾部材を充填する際に用いられる型紙をさらに備えた、請求項１又は２に記載の植物鑑賞用容器。
【考案の詳細な説明】
【技術分野】
【０００１】
本考案は、例えば、胡蝶蘭等の植物を鑑賞するために使用される植物鑑賞用容器に関する。さらに詳細には、本考案は、容器の内側側面部や上面部にカラーサンドやカラービーズ等の装飾部材を配置して鑑賞性を高めるようにした植物鑑賞用容器に関する。
【背景技術】
【０００２】
従来、この種の植物鑑賞用容器は、有底で上端開口の透明な外側容器と、有底で上端開口の植木鉢状の内側容器（植木鉢）と、からなり、外側容器と内側容器（植木鉢）との間の隙間内に意匠を施すためのカラーサンドやカラービーズ等の装飾部材が充填されて、鑑賞性を高めるようにされていた。
【０００３】
しかし、かかる構成のものにあっては、外側容器と内側容器（植木鉢）との間の広い領域にカラーサンドやカラービーズ等の装飾部材を充填しなければならず、装飾部材の使用量が多くなるという課題があった。
【０００４】
そこで、従来、この課題を解消すべく、例えば、特許文献１，２に開示されているような構成のものが提案されている。
特許文献１には、透明な外壁に適宜間隙を介して、透明な内壁を水密状態に設けて、上面が開口する透明有底の外側容器を形成し、前記間隙内にカラーサンドやカラービーズ等の装飾部材を充填するようにした植物鑑賞用容器が開示されている。
特許文献２には、外筒と内筒とこの両筒体の底面を閉鎖するリング状の底板とを一体に備え、外筒と内筒との間に上面が開放されたリング状の空所が形成され、少なくとも外筒が透明である、植木鉢カバーが開示されている。この植木鉢カバーは、外筒と内筒との間の空所にカラーサンドやカラービーズ等の装飾部材を充填して使用される。この場合、カラーサンドやカラービーズ等の装飾部材は色の異なるものを層状に入れることにより、好みの色の縞模様を植木鉢カバーの外面に表すことができる。
このように、特許文献１，２に開示されたものにあっては、容器の外周部が二重壁構造となっており、当該二重壁構造内にカラーサンドやカラービーズ等の装飾部材を充填することにより、使用する装飾部材の量を抑えることができるようにされている。
【先行技術文献】
【特許文献】
【０００５】
【特許文献１】実開平３−１０８３４３号公報
【特許文献２】実開平７−３４６３２号公報
【考案の概要】
【考案が解決しようとする課題】
【０００６】
しかし、特許文献１，２に開示されているものでは、使用するカラーサンドやカラービーズ等の装飾部材の量を抑えることはできるものの、鑑賞の対象となる植物（鉢植え等）の大きさに対応させることは困難であり、汎用性に欠けるという課題がある。例えば、容器の二重壁構造の内径よりも小さい鉢植え等をセットした場合には、二重壁構造と鉢植え等との間に隙間ができ、鑑賞性が低下してしまう。
【０００７】
本考案は、従来技術における前記課題を解決するためになされたものであり、容器の内側側面部や上面部にカラーサンドやカラービーズ等の装飾部材を配置して鑑賞性を高めるようにした植物鑑賞用容器であって、カラーサンドやカラービーズ等の装飾部材の使用量を削減することが可能で、かつ、鑑賞の対象となる植物（鉢植え等）の大きさに対応させることが可能な植物鑑賞用容器を提供することを目的とする。
【課題を解決するための手段】
【０００８】
前記目的を達成するため、本考案に係る植物鑑賞用容器の構成は、
（１）透明な素材からなる外側容器と、前記外側容器内に配置される内側容器と、を備え、
前記内側容器は、第１内側容器と、前記第１内側容器内に配置される第２内側容器と、前記第１内側容器と前記第２内側容器の間の隙間を埋める隙間埋め部材と、を含み、
前記外側容器と前記第１内側容器とで形成される空間に装飾部材が充填されることを特徴とする。
【０００９】
本考案において、「装飾部材」は、基本的にはカラーサンドやカラービーズ等の、着色された粒状物の集合体を意味する。但し、本考案は、南天の果実や小豆，米等を、装飾部材として用いることを排除するものではない。
【００１０】
本考案の植物鑑賞用容器の上記（１）の構成によれば、基本的に、外側容器と第１内側容器とで形成される空間にのみカラーサンドやカラービーズ等の装飾部材が充填されることとなるので、カラーサンドやカラービーズ等の装飾部材の使用量を削減することが可能となる。また、本考案の植物鑑賞用容器の上記（１）の構成によれば、第２内側容器の大きさと隙間埋め部材の厚みを適宜変更することにより、鑑賞の対象となる植物（鉢植え等）の大きさに対応させることが可能となる。
すなわち、本考案の植物鑑賞用容器の上記（１）の構成によれば、容器の内側側面部や上面部にカラーサンドやカラービーズ等の装飾部材を配置して鑑賞性を高めるようにした植物鑑賞用容器であって、カラーサンドやカラービーズ等の装飾部材の使用量を削減することが可能で、かつ、鑑賞の対象となる植物（鉢植え等）の大きさに対応させることが可能な植物鑑賞用容器を提供することができる。
【００１１】
本考案の植物鑑賞用容器の上記（１）の構成においては、以下の（２），（３）のような構成にすることが好ましい。
【００１２】
（２）前記第２内側容器は、前記第１内側容器内に配置されたときに、その上面の高さが前記第１内側容器の上面の高さよりも高くなるように構成されている。
【００１３】
上記（２）の好ましい構成によれば、第２内側容器の上面よりも若干低い位置までカラーサンドやカラービーズ等の装飾部材を充填して、隙間埋め部材を隠すことができる。その結果、植物鑑賞用容器の外部に余計なものが露出することはないので、鑑賞性をより向上させることが可能となる。
【００１４】
（３）前記第１内側容器の外側面に貼り付けられ、前記空間に前記装飾部材を充填する際に用いられる型紙をさらに備えている。
【００１５】
カラーサンドやカラービーズ等の装飾部材は、色の異なる複数種のものを、波打った状態で層状に充填することにより、好みの色の縞模様を容器の外面に表すことができるが、この作業にはかなりの熟練が必要である。しかし、上記（３）の好ましい構成によれば、型紙に描かれた模様に沿って、カラーサンドやカラービーズ等の色の異なる複数種の装飾部材を層状に充填していくだけでよいので、高品質の縞模様を短時間で作り出すことが可能となる。
【考案の効果】
【００１６】
本考案によれば、容器の内側側面部や上面部にカラーサンドやカラービーズ等の装飾部材を配置して鑑賞性を高めるようにした植物鑑賞用容器であって、カラーサンドやカラービーズ等の装飾部材の使用量を削減することが可能で、かつ、鑑賞の対象となる植物（鉢植え等）の大きさに対応させることが可能な植物鑑賞用容器を提供することができる。
【図面の簡単な説明】
【００１７】
【図１】図１は本考案の一実施の形態における植物鑑賞用容器の構成を示す縦断面図である。
【図２】図２は本考案の一実施の形態における植物鑑賞用容器の構成を示す斜視図である。
【図３】図３は本考案の一実施の形態における植物鑑賞用容器の構成部材である外側容器を示す斜視図である。
【図４】図４は本考案の一実施の形態における植物鑑賞用容器の構成部材である第１内側容器を示す斜視図である。
【図５】図５は本考案の一実施の形態における植物鑑賞用容器の構成部材である第２内側容器を示す斜視図である。
【図６】図６は本考案の一実施の形態における植物鑑賞用容器の構成部材である内側容器を示す斜視図（隙間埋め部材については図示せず）である。
【図７】図７は本考案の一実施の形態における植物鑑賞用容器の構成部材である第２内側容器の外周面に、同じく構成部材である隙間埋め部材を巻付け固定した状態を示す斜視図である。
【図８】図８は本考案の一実施の形態における植物鑑賞用容器の構成部材である第２内側容器を、その外周面に隙間埋め部材を巻付け固定した状態で、同じく構成部材である第１内側容器内に挿入している様子を示す斜視図である。
【図９】図９は本考案の一実施の形態における植物鑑賞用容器の構成部材である型紙を示す表面図である。
【図１０】図１０は本考案の一実施の形態における植物鑑賞用容器の構成部材である透明蓋を示す平面図である。
【図１１】図１１は本考案の一実施の形態における植物鑑賞用容器の構成部材である第２内側容器を、その外周面に隙間埋め部材を巻付け固定した状態で、同じく構成部材である第１内側容器内に挿入している様子を示す縦断面図である。
【図１２】図１２は本考案の一実施の形態における植物鑑賞用容器の構成部材である内側容器を示す縦断面図である。
【図１３】図１３は本考案の一実施の形態における植物鑑賞用容器の構成部材である外側容器の内部底面にカラーサンドからなる装飾部材を敷き詰めた状態を示す縦断面図である。
【図１４】図１４は本考案の一実施の形態における植物鑑賞用容器の構成部材である内側容器を、同じく構成部材である外側容器内に配置している様子を示す縦断面図である。
【図１５】図１５は本考案の一実施の形態における植物鑑賞用容器の構成部材である内側容器を、同じく構成部材である外側容器内に配置した状態を示す縦断面図である。
【図１６】図１６は本考案の一実施の形態における植物鑑賞用容器に、鉢植えをセットした状態を示す縦断面図（植物は省略）である。
【考案を実施するための形態】
【００１８】
以下、好適な実施の形態を用いて本考案をさらに具体的に説明する。但し、下記の実施の形態は本考案を具現化した例に過ぎず、本考案はこれに限定されるものではない。
【００１９】
（植物鑑賞用容器の構成）
まず、本考案の一実施の形態における植物鑑賞用容器の構成について、図１〜図１０を参照しながら説明する。
【００２０】
図１は本考案の一実施の形態における植物鑑賞用容器の構成を示す縦断面図、図２は当該植物鑑賞用容器の構成を示す斜視図、図３は当該植物鑑賞用容器の構成部材である外側容器を示す斜視図、図４は当該植物鑑賞用容器の構成部材である第１内側容器を示す斜視図、図５は当該植物鑑賞用容器の構成部材である第２内側容器を示す斜視図、図６は当該植物鑑賞用容器の構成部材である内側容器を示す斜視図（隙間埋め部材については図示せず）、図７は当該植物鑑賞用容器の構成部材である第２内側容器の外周面に、同じく構成部材である隙間埋め部材を巻付け固定した状態を示す斜視図、図８は当該植物鑑賞用容器の構成部材である第２内側容器を、その外周面に隙間埋め部材を巻付け固定した状態で、同じく構成部材である第１内側容器内に挿入している様子を示す斜視図、図９は当該植物鑑賞用容器の構成部材である型紙を示す表面図、図１０は当該植物鑑賞用容器の構成部材である透明蓋を示す平面図である。
【００２１】
図１〜図８に示すように、本実施の形態の植物鑑賞用容器１は、透明なガラスからなる外側容器２と、外側容器２内に配置される内側容器３と、を備えている。外側容器２は、有底で上端開口の円筒容器であり、内径１４ｃｍ、高さ１５ｃｍの一定の大きさを有している。
【００２２】
内側容器３は、第１内側容器３ａと、第１内側容器３ａ内に配置される第２内側容器３ｂと、第１内側容器３ａと第２内側容器３ｂの間の隙間を埋める隙間埋め部材３ｃと、を含んでいる。第１及び第２内側容器３ａ，３ｂは、有底で上端開口のプラスチック製の円筒容器である。第１内側容器３ａは、外径１１ｃｍ、１１ｃｍの一定の大きさを有しており、第２内側容器３ｂとしては、鉢植え９（図１６を参照）の大きさに応じた種々の大きさ（直径）のものが用いられる。隙間埋め部材３ｃは、長方形状の気泡緩衝材からなり、第２内側容器３ｂの外周面に巻付け固定した状態で用いられる。そして、巻付け回数を変えることにより、巻付け厚みを適宜変更して、種々の大きさ（直径）の第２内側容器３ｂに対応させることができる。
【００２３】
カラーサンドからなる装飾部材４は、外側容器２と第１内側容器３ａとで形成される空間Ｓに充填される。この場合、カラーサンドからなる装飾部材４は、色の異なる複数種のものを、波打った状態で層状に充填することにより、好みの色の縞模様を容器の外面に表すことができる。
【００２４】
以上説明した本実施の形態の植物鑑賞用容器１の構成によれば、基本的に、外側容器２と第１内側容器３ａとで形成される空間Ｓにのみカラーサンドからなる装飾部材４が充填されることとなるので、カラーサンドからなる装飾部材４の使用量を削減することが可能となる。また、本実施の形態の植物鑑賞用容器１の構成によれば、第２内側容器３ｂの大きさと隙間埋め部材３ｃの巻付け厚みを適宜選択することにより、鑑賞の対象となる鉢植え９の大きさに対応させることが可能となる。
すなわち、本実施の形態の植物鑑賞用容器１の構成によれば、容器の内側側面部や上面部にカラーサンドからなる装飾部材４を配置して鑑賞性を高めるようにした植物鑑賞用容器であって、カラーサンドからなる装飾部材４の使用量を削減することが可能で、かつ、鑑賞の対象となる鉢植え９の大きさに対応させることが可能な植物鑑賞用容器を提供することができる。
【００２５】
上記したように、本実施の形態の植物鑑賞用容器１において、外側容器２と第１内側容器３ａは、それぞれ、一定の大きさ（直径）を有している。このため、外側容器２と第１内側容器３ａとで形成される空間Ｓ内に常にほぼ同一の縞模様を作り出すことができる。
【００２６】
図１，図２中、参照符号６は、第１内側容器３ａの底部周縁に装着される板ゴムを示している。このように第１内側容器３ａの底部周縁に板ゴム６を装着することにより、植物鑑賞用容器１の作製中に内側容器３がずれ動くことを防止して、当該内側容器３を安定させておくことができる。また、図１に示すように、カラーサンドからなる装飾部材４の充填中に、水平に突出した板ゴム６の上に当該カラーサンドからなる装飾部材４が乗っていくこととなるので、カラーサンドからなる装飾部材４の充填中に型紙７が貼り付けられた内側容器３がずれ動かないようにすることができる。その結果、空間Ｓ内に縞模様を歪みなく作り出すことが可能となる。
【００２７】
図１，図２，図７に示すように、隙間埋め部材３ｃは、第２内側容器３ｂの外周面の上下端部分を空けた状態で当該第２内側容器３ｂの外周面に巻付け固定されている。
また、図１，図２に示すように、第２内側容器３ｂは、第１内側容器３ａ内に配置されたときに、その上面の高さが第１内側容器３ａの上面の高さよりも高くなるように構成されている。ここで、第２内側容器３ｂの上面の高さ調整は、例えば、気泡緩衝材からなる高さ調整部材５を第１内側容器３ａの内部底面に敷くことによって行うことができる。
かかる構成によれば、第２内側容器３ｂの上面よりも若干低い位置までカラーサンドからなる装飾部材４を充填して、隙間埋め部材３ｃを隠すことができる。その結果、植物鑑賞用容器１の外部に余計なものが露出することはないので、植物の鑑賞性をより向上させることが可能となる。
【００２８】
図９に示すように、本実施の形態の植物鑑賞用容器１は、第１内側容器３ａの外周面に貼り付けられ、空間Ｓにカラーサンドからなる装飾部材４を充填する際に用いられる型紙７をさらに備えている。
カラーサンドからなる装飾部材４は、色の異なる複数種のものを、波打った状態で層状に充填することにより、好みの色の縞模様を容器の外面に表すことができるが、この作業にはかなりの熟練が必要である。しかし、かかる構成によれば、型紙７に描かれた模様に沿って、カラーサンドからなる色の異なる複数種の装飾部材４を層状に充填していくだけでよいので、高品質の縞模様を短時間で作り出すことが可能となる。
【００２９】
図１，図１０に示すように、本実施の形態の植物鑑賞用容器１は、カラーサンドからなる装飾部材４を充填した後の、外側容器２と第２内側容器３ｂとの間に配置される平板リング状の透明蓋８をさらに備えている。
かかる構成によれば、充填後の上部のカラーサンドからなる装飾部材４が汚れたり零れたりすることを防止することができる。
【００３０】
（植物鑑賞用容器の作製方法）
次に、本実施の形態における植物鑑賞用容器の作製方法について、図１１〜図１６をも参照しながら説明する。
【００３１】
図１１は本考案の一実施の形態における植物鑑賞用容器の構成部材である第２内側容器を、その外周面に隙間埋め部材を巻付け固定した状態で、同じく構成部材である第１内側容器内に挿入している様子を示す縦断面図、図１２は当該植物鑑賞用容器の構成部材である内側容器を示す縦断面図、図１３は当該植物鑑賞用容器の構成部材である外側容器の内部底面にカラーサンドからなる装飾部材を敷き詰めた状態を示す縦断面図、図１４は当該植物鑑賞用容器の構成部材である内側容器を、同じく構成部材である外側容器内に配置している様子を示す縦断面図、図１５は当該植物鑑賞用容器の構成部材である内側容器を、同じく構成部材である外側容器内に配置した状態を示す縦断面図、図１６は当該植物鑑賞用容器に、鉢植えをセットした状態を示す縦断面図（植物は省略）である。
【００３２】
まず、図５に示すような、鑑賞の対象となる鉢植え９の大きさに見合った大きさの第２内側容器３ｂを用意する。次いで、図５，図７に示すように、長方形状の隙間埋め部材３ｃを、第２内側容器３ｂの外周面の上下端部分を空けた状態で当該第２内側容器３ｂの外周面に巻付け固定する。このときの隙間埋め部材３ｃの巻付け厚みは、第２内側容器３ｂを第１内側容器３ａに挿入したときにピッタリ嵌る厚みである。
【００３３】
次いで、図８，図１１，図１２に示すように、隙間埋め部材３ｃが巻付け固定された状態の第２内側容器３ｂを、第１内側容器３ａ内に挿入する（図８の矢印ａ、図１１の矢印ｂを参照）。ここで、第１内側容器３ａの内部底面には、気泡緩衝材からなる高さ調整部材５が敷かれており、これにより、第２内側容器３ｂの上面の高さは第１内側容器３ａの上面の高さよりも高くなっている。次いで、第１内側容器３ａの外周面に、図９に示す型紙７を貼り付ける。
【００３４】
次いで、図１３に示すように、外側容器２の内部底面に所定の色のカラーサンドからなる装飾部材４を敷き詰める。
【００３５】
次いで、図２，図１４，図１５に示すように、内側容器３を外側容器２内に配置する（図１４の矢印ｃを参照）。ここで、第１内側容器３ａの底部周縁には板ゴム６が装着されているので、カラーサンドとゴムとの間の摩擦力により、植物鑑賞用容器１の作製中に内側容器３がずれ動くことを防止して、当該内側容器３を安定させておくことができる。
【００３６】
次いで、図１，図２，図１５に示すように、第１内側容器３ａの外周面に貼り付けられた型紙７に描かれた模様に沿って、外側容器２と第１内側容器３ａとで形成される空間Ｓにカラーサンドからなる色の異なる複数種の装飾部材４を波打った状態で層状に充填していく。これにより、外側容器２の外面に縞模様が表れる。ここでは、型紙７に描かれた模様に沿って、カラーサンドからなる色の異なる複数種の装飾部材４を層状に充填していくようにされているので、高品質の縞模様を短時間で作り出すことができる。また、隙間埋め部材３ｃは、第２内側容器３ｂの外周面の上下端部分を空けた状態で当該第２内側容器３ｂの外周面に巻付け固定されており、かつ、第２内側容器３ｂは、第１内側容器３ａ内に配置されたときに、その上面の高さが第１内側容器３ａの上面の高さよりも高くなるように構成されているので、第２内側容器３ｂの上面よりも若干低い位置までカラーサンドからなる装飾部材４を充填して、隙間埋め部材３ｃを隠すことができる。その結果、植物鑑賞用容器１の外部に余計なものが露出することはないので、植物の鑑賞性をより向上させることができる。さらに、カラーサンドからなる装飾部材４の充填中に、水平に突出した板ゴム６の上に当該カラーサンドからなる装飾部材４が乗っていくこととなるので、カラーサンドからなる装飾部材４の充填中に型紙７が貼り付けられた内側容器３がずれ動くことはない。その結果、空間Ｓ内に縞模様を歪みなく作り出すことができる。
【００３７】
最後に、図１，図１０に示すように、装飾部材４を充填した後の、外側容器２と第２内側容器３ｂとの間に、平板リング状の透明蓋８を被せる。これにより、充填後の上部のカラーサンドからなる装飾部材４が汚れたり零れたりすることを防止することができる。
以上により、植物鑑賞用容器１が完成する。
【００３８】
植物鑑賞用容器１が完成したら、図１６に示すように、第２内側容器３ｂに胡蝶蘭等の鉢植え９をセットする。これにより、胡蝶蘭等の鉢植え９を鑑賞することが可能となる。
【００３９】
尚、上記実施の形態においては、外側容器２と第１及び第２内側容器３ａ，３ｂが円筒容器である場合を例に挙げて説明したが、本考案は必ずしもこのような構成に限定されるものではない。外側容器と第１及び第２内側容器は、例えば、角型容器であってもよい。
【００４０】
また、上記実施の形態においては、外側容器２の素材がガラスである場合を例に挙げて説明したが、本考案は必ずしもこのような構成に限定されるものではない。外側容器は、透明な素材からなるものであれば、例えば、プラスチック製の容器であってもよい。
【００４１】
また、上記実施の形態においては、第２内側容器３ｂに胡蝶蘭等の鉢植え９をセットする場合を例に挙げて説明したが、本考案は必ずしもこのような構成に限定されるものではない。胡蝶蘭等の植物を、第２内側容器３ｂに直接植え込むようにしてもよい。
【符号の説明】
【００４２】
１  植物鑑賞用容器
２  外側容器
３  内側容器
３ａ  第１内側容器
３ｂ  第２内側容器
３ｃ  隙間埋め部材
４  装飾部材（カラーサンド）
５  高さ調整部材
６  板ゴム
７  型紙
８  透明蓋
９  鉢植え
Ｓ  空間
【図１】
0003215667.tif 000003
【図２】
0003215667.tif 000004
【図３】
0003215667.tif 000005
【図４】
0003215667.tif 000006
【図５】
0003215667.tif 000007
【図６】
0003215667.tif 000008
【図７】
0003215667.tif 000009
【図８】
0003215667.tif 000010
【図９】
0003215667.tif 000011
【図１０】
0003215667.tif 000012
【図１１】
0003215667.tif 000013
【図１２】
0003215667.tif 000014
【図１３】
0003215667.tif 000015
【図１４】
0003215667.tif 000016
【図１５】
0003215667.tif 000017
【図１６】
0003215667.tif 000018